(57)【特許請求の範囲】
【請求項１】
進行方向側に配置される前輪と前記前輪の反対側に配置される後輪とをそれぞれ一対ずつ有する台車と、前記台車に固定された少なくとも１本の支柱と、前記支柱に取り付けられた買い物カゴを載置させるカゴ置き台及び使用者が操作するハンドル部とを備えたショッピングカートにおいて、
前記ハンドル部は、前記支柱の上端部から前記後輪側に屈曲されて形成されたハンドルフレームを有し、前記ハンドルフレームには、使用者の肘又は前腕を支持するための前腕支持台と、前記前輪が設けられた方向に突出した把持部とが設けられ、
前記台車の両側面には少なくとも前記後輪の外側の側面を覆うように形成された巻き込み抑制機構が設けられており、
前記ハンドル部の前記前腕支持台の下方には上方に開口部を有する有底の手元カゴの取付部が設けられ、
前記手元カゴの取付部に前記手元カゴが取り付けられた際には、前記把持部及び前記前腕支持台の間から前記手元カゴの開口部の一部又は全部が垣間見えるようになされていることを特徴とするショッピングカート。
【請求項２】
前記巻き込み抑制機構は、前記台車の前記前輪と前記後輪との間に設けられたカバー体であって、
前記カバー体は、進行方向側の前記後輪の外側の側面の一部が覆われるように形成されていることを特徴とする請求項１に記載のショッピングカート。
【請求項３】
前記巻き込み抑制機構は、前記台車の一部を形成する前記一対の後輪の外側の側面の支軸から前記支柱にそれぞれ延設された少なくとも一本のフレーム部材で形成されていることを特徴とする請求項１に記載のショッピングカート。
【請求項４】
前記前腕支持台は、前記後輪が設けられた位置の上方から前記前輪側に向かう側の位置に設けられていることを特徴する請求項１に記載のショッピングカート。
【請求項５】
前記前腕支持台は、前記手元カゴの取付部に前記手元カゴが取り付けられた際に、前記手元カゴの前記開口部が覆われる部分の一部又は全部が切り欠かれていることを特徴とする請求項１に記載のショッピングカート。
【請求項６】
前記一対の後輪の幅は、前記カゴ置き台の幅よりも狭く形成されていることを特徴とする請求項１に記載のショッピングカート。
【請求項７】
前記ハンドルフレームの端部には、下方側に向かって円形状に延設された起立グリップが前記後輪の上方から前記前輪側に向かう側に位置するように形成され、
前記起立グリップの端部は、前記起立グリップが形成される最下点を越え上方に向かうように形成されていることを特徴とする請求項１に記載のショッピングカート。
【請求項８】
前記ハンドルフレームは、
前記支柱の上端部が前記後輪側へ略水平に屈曲して形成された第１ハンドルフレームと、
前記第１ハンドルフレームの端部から上方へＵ字状に屈曲して形成された起立グリップと、
前記起立グリップの前記Ｕ字状の端部から前記前輪側に略水平に延設して形成された第２ハンドルフレームと
前記第２ハンドルフレームの前記起立グリップが形成された側と反対側に前記把持部が形成されており、
前記起立グリップは、前記後輪が設けられた上方から前記前輪側に向かう側の位置に形成されていることを特徴とする請求項１に記載のショッピングカート。
【請求項９】
前記ハンドルフレームは、
前記第２ハンドルフレームの上部に前記前腕支持台が設けられ、
前記第１ハンドルフレームの上部に前記手元カゴの取付部が設けられていることを特徴とする請求項８に記載のショッピングカート。
【請求項１０】
前記支柱は、前記ハンドル部及び前記カゴ置き台が取り付けられた上部と前記台車に固定された下部に分割され、前記上部の支柱が前記下部の支柱に対し上下動自在に設けられ、
前記上部又は前記下部のいずれかの支柱の側面には等間隔に貫通孔が形成されており、
前記貫通孔が形成されていない支柱には一つの結合孔が形成され、
前記上部及び前記下部の前記貫通孔と前記結合孔とが合致した位置で結合部材を挿入することによって固定されることを特徴とする請求項１に記載のショッピングカート。
【請求項１１】
前記支柱は、前記ハンドル部及び前記カゴ置き台が取り付けられた上部と前記台車に固定された下部に分割され、前記上部の支柱が前記下部の支柱に対し上下動自在に設けられ、
前記上部と前記下部との間にはシリンダーが設けられ、
前記上部は前記シリンダーにより上下動自在になされていることを特徴とする請求項１に記載のショッピングカート。
【発明の詳細な説明】
【技術分野】
【０００１】
この発明は、ショッピングセンター等の施設において、歩行が不自由な使用者であっても、安全に買い物を行えるショッピングカートに関し、詳しくは、使用者の歩行中の転倒やショッピングカートの衝突による商品や設備の破損を抑制し、且つ、使用者の手元の作業が行い易いショッピングカートに関する。
【背景技術】
【０００２】
従来、ショッピングセンターやスーパーマーケット等で買い物をする際、商品等が納められた買い物カゴを容易に持ち運びできるようにショッピングカートが利用されている。このとき、利用者はショッピングセンター等の広い売り場内を長距離に渡って歩行する必要があるため、快適に買い物を行うためのショッピングカートに関する考案が下記特許文献１に開示されている。下記特許文献１の考案は、既存のショッピングカートのハンドル部に腕載せ台を後付で装着するものであり、このような腕載せ台をショッピングカートに装着することで、利用者がショッピングカートの腕載せ台に腕を載せて身体を預けることで快適に買い物ができるとされている。
【０００３】
一方、何らかの疾患、例えば、関節に痛みを伴ったり、病気や怪我あるいは高齢等で足腰の筋力が弱ったりして歩行が不自由となった場合、そのリハビリとして歩行訓練が行われるが、この歩行訓練には、一般に下記特許文献２に開示されたような歩行補助器が利用される。下記特許文献２の歩行補助器は、走行用キャスタの取り付けられたベースフレームに支柱を立設し、この支柱上端部に人体腹部に対応する凹部と、両上肢の肘宛用の幅広部を有するクッション部材を取り付け、このクッション部材にハンドルを取り付けた構成を有している。このような構成を有することで、下記特許文献２の歩行補助器によれば、使用者はベースフレームの開放側から身体をベースフレーム内に移動して、クッション部材の凹部に当接させ、クッション部材の幅広部に肘をついて身体を支え、ハンドルをつかみながら、歩行補助器を押していき、歩進することで、歩行の訓練をすることができるとされている。
【先行技術文献】
【特許文献】
【０００４】
【特許文献１】実用新案登録第３１１６０３４号公報
【特許文献２】実開平０５−０１１９３３号公報
【発明の概要】
【発明が解決しようとする課題】
【０００５】
ここで、何らかの疾患を有して歩行が不自由となった人がショッピングセンター等で買い物を行う場合を考えると、ショッピングセンター等で利用されるショッピングカートは主に健常者用に作られており、また、一般に使用されているショッピングカートは概ね単一つの大きさで作製されており、使用者の体格差は考慮されていないので、健常者であれば容易に使用できても、歩行が不自由となった人にとっては使用が困難となる場合がある。
【０００６】
また、このような歩行が不自由となった人が歩行補助器を利用してショッピングセンター等で買い物をしようとしても、歩行補助器と同時にショッピングカートを使用することはできないので、購入できる商品に限度があり、十分な買い物をすることは困難である。一方、歩行補助器を利用したリハビリが行われる場合は、一般に専用の施設、例えば病院やスポーツジム等で行われ、この施設内をただ歩くことを繰り返すことが多く、さらに、施設の使用に費用がかかる場合がある。
【０００７】
この場合、歩行が不自由となった人がショッピングセンター等で買い物をしながら長距離を歩くことができれば、歩行訓練のリハビリにもなるため、リハビリが単調にならずにすみ、また、歩行する距離も十分に得ることができる。さらに、ショッピングセンター等で買い物をする場合は、基本的にその利用に費用はかからず、また、歩行が不自由となった人がショッピングセンター等を率先して使用することで、消費が進み、地域経済の活性化を図ることも考えられる。なお、ショッピングセンター等を利用してリハビリを行うことで、歩行訓練以外にも、買い物をすることで、手先を動かしたり、脳を活性化させたりすることができるため、特に高齢者のリハビリとしては高い効果が期待できる。
【０００８】
そのため、歩行が不自由となった人でもショッピングセンター等で快適に買い物をすることができるショッピングカートが求められるが、既存のショッピングカートに上記特許文献１の腕載せ台を取り付けたとしても上述したような課題のため歩行が不自由となった人が利用することは困難であり、また、既存のショッピングカートでは歩行補助器の効果を奏することができないので、使用者がバランスを崩し転倒しやすくなってしまう。
【０００９】
また、上記特許文献２には、歩行補助器の前に小物収納篭が設けられているが、この小物収納篭に買い物カゴを載せることは不可能であり、たとえ載せることができたとしても大きな荷物を載せるとバランスを崩し転倒するおそれが高くなる。さらに、歩行補助器に買い物カゴを置く機構を設けたとしても、歩行補助器は買い物用に製造されていないので重い買い物を載せるとやはりバランスを崩しやすく、使用者が転倒しやすくなる。加えて、歩行補助器でショッピングセンター等の商品や陳列棚が置いてある場所を歩行すると、商品等を引っ掛けたり巻き込んだりすることで転倒するおそれがあるとともに、商品等を破損し、ショッピングセンター等が不利益を被るおそれもある。
【００１０】
さらにまた、従来のショッピングカート及び歩行補助器は、走行中、特にカーブを曲がる際に後輪に障害物を引っ掛けやすく、特に歩行補助器では、使用者がクッション部材にもたれかかった状態で歩行するため、歩行中の後輪の認識が困難となり、後輪が障害物を引っ掛けたり巻き込んだりするおそれがある。
【００１１】
そこで、発明者は、上記課題を解決するために種々検討を重ねた結果、ショッピングセンター等で買い物をしながら歩行訓練のリハビリができるようにするため、ショッピングカートの後輪に巻き込みを抑制する機構を設けることで、使用者が、前腕支持台にもたれかかって走行しても、商品や棚等に後輪が引っ掛けたり巻き込んだりすることを抑制することができること、ショッピングカートの前腕を支持する部分の下に鞄や財布等を入れられるカゴを設けることで、前腕を支持する部分に肘や前腕を置いたままカゴ内に収納した鞄等を扱うことが容易にできること、及び、使用者が腰掛けた状態から立ち上がるためのグリップをショッピングカートに設けることで、使用者がこのグリップを用いて容易に立ち上がることができることを見出し、本発明を完成するに至ったのである。
【００１２】
すなわち、本発明の目的は、ショッピングセンター等で買い物をしながらリハビリの歩行訓練も行うことができる、安全性が高く、歩行並びに買い物がしやすいショッピングカートを提供することにある。
【課題を解決するための手段】
【００１３】
上記課題を解決するために、本発明の第１の態様のショッピングカートは、
進行方向側に配置される前輪と前記前輪の反対側に配置される後輪とをそれぞれ一対ずつ有する台車と、前記台車に固定された少なくとも１本の支柱と、前記支柱に取り付けられた買い物カゴを載置させるカゴ置き台及び使用者が操作するハンドル部とを備えたショッピングカートにおいて、
前記ハンドル部は、前記支柱の上端部から前記後輪側に屈曲されて形成されたハンドルフレームを有し、前記ハンドルフレームには、使用者の肘又は前腕を支持するための前腕支持台と、前記前輪が設けられた方向に突出した把持部とが設けられ、
前記台車の両側面には少なくとも前記後輪の外側の側面を覆うように形成された巻き込み抑制機構が設けられており、
前記ハンドル部の前記前腕支持台の下方には上方に開口部を有する有底の手元カゴの取付部が設けられ、
前記手元カゴの取付部に前記手元カゴが取り付けられた際には、前記把持部及び前記前腕支持台の間から前記手元カゴの開口部の一部又は全部が垣間見えるように設けられていることを特徴とする。
【００１４】
また、本発明の第２の態様のショッピングカートは、前記巻き込み抑制機構は、前記台車の前記前輪と前記後輪との間に設けられたカバー体であって、
前記カバー体は、進行方向側の前記後輪の外側の側面の一部が覆われるように形成されていることを特徴とする。
【００１５】
また、本発明の第３の態様のショッピングカートは、前記巻き込み抑制機構は、前記台車の一部を形成する前記一対の後輪の外側の側面の支軸から前記支柱にそれぞれ延設された少なくとも一本のフレーム部材で形成されていることを特徴とする。
【００１６】
また、本発明の第４の態様のショッピングカートは、前記前腕支持台は、前記後輪が設けられた位置の上方から前記前輪側に向かう側の位置に設けられていることを特徴する。
【００１８】
また、本発明の第５の態様のショッピングカートは、前記前腕支持台は、前記手元カゴの取付部に前記手元カゴが取り付けられた際に、前記手元カゴの前記開口部が覆われる部分の一部又は全部が切り欠かれていることを特徴とする。
【００１９】
また、本発明の第６の態様のショッピングカートは、前記一対の後輪の幅は、前記カゴ置き台の幅よりも狭く形成されていることを特徴とする。
【００２０】
また、本発明の第７の態様のショッピングカートは、前記ハンドルフレームの端部には、下方側に向かって円形状に延設された起立グリップが前記後輪の上方から前記前輪側に向かう側に位置するように形成され、
前記起立グリップの端部は、前記起立グリップが形成される最下点を越え上方に向かうように形成されていることを特徴とする。
【００２１】
また、本発明の第８の態様のショッピングカートは、前記ハンドルフレームは、
前記支柱の上端部が前記後輪側へ略水平に屈曲して形成された第１ハンドルフレームと、
前記第１ハンドルフレームの端部から上方へＵ字状に屈曲して形成された起立グリップと、
前記起立グリップの前記Ｕ字状の端部から前記前輪側に略水平に延設して形成された第２ハンドルフレームと
前記第２ハンドルフレームの前記起立グリップが形成された側と反対側に前記把持部が形成されており、
前記起立グリップは、前記後輪が設けられた上方から前記前輪側に向かう側の位置に形成されていることを特徴とする。
【００２２】
また、本発明の第９の態様のショッピングカートは、前記ハンドルフレームは、
前記第２ハンドルフレームの上部に前記前腕支持台が設けられ、
前記第１ハンドルフレームの上部に前記手元カゴの取付部が設けられていることを特徴とする。
【００２３】
また、本発明の第１０の態様のショッピングカートは、前記支柱は、前記ハンドル部及び前記カゴ置き台が取り付けられた上部と前記台車に固定された下部に分割され、前記上部の支柱が前記下部の支柱に対し上下動自在に設けられ、
前記上部又は前記下部のいずれかの支柱の側面には等間隔に貫通孔が形成されており、
前記貫通孔が形成されていない支柱には一つの結合孔が形成され、
前記上部及び前記下部の前記貫通孔と前記結合孔とが合致した位置で結合部材を挿入することによって固定されることを特徴とする。
【００２４】
また、本発明の第１１の態様のショッピングカートは、前記支柱は、前記ハンドル部及び前記カゴ置き台が取り付けられた上部と前記台車に固定された下部に分割され、前記上部の支柱が前記下部の支柱に対し上下動自在に設けられ、
前記上部と前記下部との間にはシリンダーが設けられ、
前記上部は前記シリンダーにより上下動自在になされていることを特徴とする。
【発明の効果】
【００２５】
本発明のショッピングカートは、前腕支持台において肘や前腕を支持して体重を支えることができるので、何らかの疾患を有して歩行が困難となった使用者であっても、容易に買い物に使用することができ、また、買い物のときにリハビリとしての歩行訓練を行うことができる。すなわち、ショッピングセンター等の施設において、本発明のショッピングカートを利用して肘等を前腕支持台にもたれさせ、把持部を手でつかみながらショッピングセンター等の施設内を歩行することで、足腰が弱ったり、骨折等の怪我をしたりした歩行困難な使用者であっても、自身で買い物をすることができるようになると共に、買い物をしながらリハビリとしての歩行訓練を行うことができる。このとき、本発明の第１の態様のショッピングカートによれば、台車の両側に巻き込み抑制機構が後輪の外側の側面が覆われるように設けられているので、直進及びカーブを走行中に後輪が通路上においてある商品や棚等を引っ掛けたり巻き込んだりすることを抑制でき、使用者及びカートの転倒を抑制でき、しかも、商品等の破損を抑制できるようになる。
加えて、ハンドル部の前腕支持台の下方には上方に開口部を有する有底の手元カゴの取付部が設けられているので、手元カゴの取付部に手元カゴが取り付けられた際には、使用者が前腕支持部に肘もしくは前腕を載せたまま手元カゴ内にある、例えば、鞄や財布等を手で扱うことができるようになるので、支払いなどの細かい手元の作業を容易に行うことができるようになる。
【００２６】
本発明の第２の態様のショッピングカートによれば、商品や棚等が後輪に引っ掛かったり巻き込んだりすることを抑制する巻き込み抑制機構がカバー体で形成されており、このカバー体が前輪と後輪との間に設けられ、少なくとも後輪の進行方向側の外側の側面の一部がこのカバー体に覆われていることで、走行中にカバー体が通路上の商品や棚等に後輪が引っ掛かったり巻き込んだりすることを抑制でき、使用者及びカートの転倒を抑制でき、また、商品等の破損を抑制できるようになる。なお、後輪が商品等を巻き込んだりすることを抑制するには、カバー体は、後輪の外側の側面のうち進行方向側の後輪の一部が覆われていればよいが、これに限らず、後輪の外側の側面の略全部を覆うようにしてもよい。このようにすると、走行中に引っ掛かりやすい後輪の外側の側面が全てカバー体で覆われているので、より引っ掛かりを抑制し、使用者等の転倒や商品等の破損を抑制することができるようになる。
【００２７】
本発明の第３の態様のショッピングカートでは、巻き込み抑制機構は、台車の一部を形成する後輪と支柱をつなぐフレーム部材で形成されており、フレーム部材が後輪の外側の側面の支軸から延設されており、さらにフレーム部材は前輪側にある支柱と連接されているので、フレーム部材は後輪の外側の側面であって進行方向側の一部の後輪が覆われることとなる。そのため、本発明の第３の態様のショッピングカートによれば、フレーム部材により後輪の進行方向の外側の側面の一部が覆われることで、後輪に商品や棚等が引っ掛かったり巻き込んだりすることを抑制することができると共に、巻き込み抑制機構の構造が簡単であり、しかも、この巻き込み抑制機構を容易に製造することができるようになる。
【００２８】
本発明の第４の態様のショッピングカートによれば、使用者が前腕支持台にもたれかかっても後輪が使用者の体重を支えることができるので、使用者及びカートの転倒を抑制することができる。
【００３０】
本発明の第５の態様のショッピングカートによれば、前腕支持台は、手元カゴの取付部に手元カゴが取り付けられた際には、手元カゴの開口部が覆われる部分が切りかかれているので、手元カゴ内にある、例えば、鞄や財布等の扱いがよりやりやすくなる。
【００３１】
本発明の第６の態様のショッピングカートによれば、一対の後輪の幅がカゴ置き台の幅より狭く形成されることで、走行中の通路ではカゴ置き台を通過することができれば、後輪は通過することができる。そのため、使用者は、後輪の幅を考慮することなく歩行することができ、しかも、商品等に引っ掛かることを抑制することができる。また、カゴ置き台は、前方に配置されているから、使用者は、幅の認識が容易に行えるので、通路の走行を容易に行うことができる。
【００３２】
本発明の第７の態様のショッピングカートによれば、起立グリップが設けられていることにより、腰掛けている使用者が立ち上がるとき、この起立グリップを握ることで立ち上がりやすくなる。また、起立グリップは、ハンドルフレームの端部から少なくとも半円形状を越えて延設されて形成されているので、使用者が起立グリップを握った際、手が滑って起立グリップから手が離れ、転倒するおそれを抑制することができる。さらに、起立グリップは、後輪の上方から前輪側に向かう位置に形成されるので、使用者が起立グリップに体重をかけたとしても後輪に支えられているので、ショッピングカート及び使用者の転倒を抑制することができるようになる。
【００３３】
本発明の第８の態様のショッピングカートによれば、起立グリップが設けられていることにより、腰掛けている使用者が立ち上がるとき、この起立グリップを握ることで立ち上がりやすくなる。また、起立グリップは、下方に位置する第１ハンドルフレームと上方に位置する第２ハンドルフレームとを連結するようにＵ字状に形成されているので、使用者が起立グリップを握った際、手が滑り起立グリップから手が離れ転倒するおそれをより抑制することができる。さらに、起立グリップは、後輪の上方から前輪側に向かう位置に形成されているので、使用者が起立グリップに体重をかけたとしても後輪に支えられるので、ショッピングカート及び使用者の転倒を抑制することができるようになる。さらにまた、ハンドル部のハンドルフレームと起立グリップと把持部が一体に形成されるので、製造が容易となり、製造コストを抑えることができる。
【００３４】
本発明の第９の態様のショッピングカートによれば、一体に形成されたハンドルフレームに前腕支持台及び手元カゴを効率よく配置して設けることが出来るようになる。
【００３５】
本発明の第１０の態様のショッピングカートによれば、ハンドル部を構成する前腕支持台、把持部及び手元カゴ並びにカゴ置き台の高さを調節することができるようになるので、様々な体格の使用者でも使用することができるようになる。
【００３６】
本発明の第１１の態様のショッピングカートによれば、ハンドル部を構成する前腕支持台、把持部及び手元カゴ並びにカゴ置き台の高さ調節にシリンダーが設けられているので、高さ調節を使用者自身ないし使用者に付き添う者が容易に行うことができようになる。
【図面の簡単な説明】
【００３７】
【図１】図１Ａは実施形態１にかかるショッピングカートの上面図であり、図１Ｂは側面図である。
【図２】図２Ａは図１のショッピングカートに買い物カゴを載せた場合の上面図であり、図２Ｂは側面図である。
【図３】図３Ａ及び図３Ｂは実施形態１のショッピングカートの他の形状のカバー体を示した側面図であり、図３Ｃは実施形態１のショッピングカートに起立グリップを設けた状態を示した側面図である。
【図４】図４Ａは実施形態１のショッピングカートの台車の形状を一部変形した上面図であり、図４Ｂは図４Ａに示したショッピングカートの収納の状態を示した側面図である。
【図５】図５Ａは実施形態２のショッピングカートの側面図であり、図５Ｂは実施形態２のショッピングカートの台車の他の形状を示した側面図である。
【図６】図６Ａは実施形態３のショッピングカートを示した上面図であり、図６Ｂは側面図である。
【図７】図７Ａは実施形態４のショッピングカートの側面図であり、図７Ｂは実施形態４のショッピングカートの台車の他の形状を示した側面図である。
【図８】実施形態４のショッピングカートの収納の状態を示した図４Ｂに対応する側面図である。
【図９】図９Ａは実施形態５のショッピングカートの上面図であり、図９Ｂは実施形態５の前腕支持台の斜視図である。
【図１０】図１０Ａ〜図１０Ｃは実施形態６のショッピングカートの高さの調節を説明する側面図である。
【図１１】図１１Ａ〜図１１Ｃは実施形態４のショッピングカートの高さの調節を説明する側面図である。
【図１２】図１２Ａは変形例のショッピングカートの側面図であり、図１２Ｂは変形例のショッピングカートに買い物カゴを載せた状態を示した側面図である。
【発明を実施するための形態】
【００３８】
以下、図面を参照して本発明の実施形態を説明する。但し、以下に示す実施形態は、本発明の技術思想を具体化するためのショッピングカートを例示するものであって、本発明をこれに特定することを意図するものではなく、本発明は特許請求の範囲に含まれるその他の実施形態のものにも等しく適応し得るものである。
【００３９】
［実施形態１］
図１及び図２を参照して、実施形態１に係るショッピングカートについて説明する。図１及び図２に示すように、実施形態１に係るショッピングカート１０は、車輪を有する台車１１と、台車１１に固定された支柱１５と、支柱１５に取り付けられ買い物カゴを載置させるためのカゴ置き台１９及びハンドル部２０で構成されている。以下、これらの各構成を詳細に説明する。
【００４０】
台車１１は、進行方向側に配置される前輪１２と前輪１２の反対側に配置される後輪１３とをそれぞれ一対ずつ有し、アルミニウムやステンレス等の材質で作製されたパイプ等が組み合わされて骨格が形成され、この前輪１２及び後輪１３が地面と接するように配置され構成されている。
【００４１】
前輪１２は、前輪１２が固定されている固定軸１２ａを中心に回転可能に取り付けられており、ショッピングカート１０がカーブを曲がったり方向転換させたりする際、前輪が固定軸１２ａを中心に回転するようになっている。一方、後輪１３は前輪１２と異なり前後方向のみに移動できるように取り付けられている。また、この前輪１２及び後輪１３の径の大きさは、従来のショッピングカートに使用されている車輪より大径のものが用いられており、例えば、従来の歩行補助器と同様な径の大きさの車輪が用いられている。
【００４２】
また、台車１１の両側面には前輪１２と後輪１３との間に巻き込み抑制機構としてカバー体１４が設けられており、このカバー体１４は後輪１３の外側の側面が覆われ後輪の高さより高くなるように形成されている。すなわち、図１Ｂ及び図２Ｂに示すように、後輪１３の外側の側面が地面との隙間を少し開けて覆われている。また、カバー体１４の前輪１２側には、ショッピングカート１０の前輪１２が固定軸１２ａを中心に回転してもぶつからないように切除部１４ａが設けられている。
【００４３】
支柱１５は、台車１１に固定された柱状体で形成されており台車１１の左右側面から一本ずつ立設されている。この支柱１５は、下側が台車１１に直接固定され、上側には後述するハンドル部が設けられており、支柱の中央部分には買い物カゴ２５が載置されるカゴ置き台１９が取り付けられている。なお、支柱１５は円柱や角柱等の任意の形状で形成することができる。
【００４４】
カゴ置き台１９は、ショッピングセンター等に常備されている買い物カゴ２５が載置できる大きさのトレイ状に形成され、ショッピングカート１０の前輪１２側に取り付けられている。そして、カゴ置き台１９は、買い物カゴ２５がショッピングカート１０の走行中に転落しないような外周壁１９ａが周囲を取り囲むように立設されている。なお、実施形態１の外周壁は、買い物カゴの下部を支えるように形成されているが、これに限らず、買い物カゴが収められる格子状の箱状体としてもよい。また、一対の後輪１３の幅は、カゴ置き台１９の幅より狭くなるように形成されている。
【００４５】
ハンドル部２０は、使用者がショッピングカート１０を操作する部分であり、支柱１５の上端部から使用者側に屈折したハンドルフレーム２１と、このハンドルフレーム２１に取り付けられた前腕支持台２２及び把持部２３、並びに前腕支持台２２の下方に設けられた手元カゴ２４で構成されている。
【００４６】
ハンドルフレーム２１は、支柱１５の上端部を後輪１３側に屈曲させて形成されており、このハンドルフレーム２１の上側に前腕支持台２２と把持部２３が設けられ、下側に手元カゴ２４が設けられている。なお、このハンドルフレーム２１は、支柱と一体に形成してもよいし、別体で形成し組み立てるようにしてもよい。
【００４７】
前腕支持台２２は、略直方体であって弾性部材やクッション部材等の使用者が長時間使用しても肘や前腕が痛み難い材質で形成され、その表面の一部又は全部が革やナイロン等の素材で覆われており、ショッピングカート１０で走行する際、使用者が肘や前腕を載せもたれかかれるように形成されている。そして、前腕支持台２２の左右両端部の上側には、所定高さ立設した壁体２２ａが形成されており、歩行中の使用者の肘等がずれ落ちることを抑制できるようになっている。また、前腕支持台２２は、台車１１の後輪１３の上方より前輪１２側の位置に取り付けられている。このような位置に前腕支持台２２を設けることで、使用者が前腕支持台２２にもたれかかったとしても、後輪１３が前腕支持台２２の後方に位置することで使用者の体重を支えることができるため、使用者及びショッピングカートが転倒することを抑制することができる。
【００４８】
把持部２３は、前腕支持台２２の両端部から進行方向側に向かって突出して取り付けられ半楕円形状に屈曲された棒状体で形成されている。この把持部２３は使用者が手で掴みショッピングカートを操作する部分であり、この把持部２３を使用者が掴むことで、力をこめることができショッピングカートを容易にかつ安全に移動させることができるようになる。なお、実施形態１の把持部２３は、半楕円形状に形成されているが、これに限らず、地面に対し垂直に突出させたスティック形状のものや直角状等の任意の形状で形成することができる。また、把持部の使用者が握る部分に、手の握る形状に合わせて湾曲させたり、弾性部材等で形成されたグリップを設けたりしてもよい。
【００４９】
手元カゴ２４は、上方に開口部２４ａを有する有底の箱状体で形成され、前腕支持台２２の下方に設けられハンドルフレーム２１に取り付けられている。手元カゴ２４の開口部２４ａは、前腕支持台２２の前側及び把持部２３の内側から見えるような位置に配置されており、使用者が前腕支持台２２に肘や前腕を置いたまま、手元カゴ２４内に収納した鞄等を扱うことができるようになっている。そのため、手元カゴ２４の深さは浅めに形成されている。
【００５０】
次に、図１及び図２を参照して実施形態１のショッピングカート１０の使用態様について説明する。使用者はショッピングカート１０を利用する際、前腕支持台２２に肘や前腕を載せもたれかかってショッピングセンター等の施設を歩行する。このとき、実施形態１のショッピングカート１０は後輪１３が前腕支持台２２より後方に配置されるように設けられているので、使用者が前腕支持台２２にもたれかかっても、後輪１３の位置が荷重のかかる位置よりも後方にあることで使用者の体重を支えることができ、使用者及びショッピングカートが転倒することを抑制することができる。
【００５１】
また、使用者が歩行する際、使用者がもたれかかる前腕支持台２２が後輪１３より前にあるので、使用者は後輪１３の位置を把握し難いため、歩行中、特に、カーブを曲がる際は、後輪１３に商品や棚等を引っ掛けたり巻き込んだりするおそれがある。しかし、実施形態１のショッピングカート１０では前輪１２と後輪１３の間に巻き込み抑制機構としてカバー体１４が設けられており、このカバー体１４は後輪１３の外側の側面が覆われている。そのため、歩行中に後輪１３が商品等にぶつかりそうになっても、カバー体１４が後輪１３より先に当ることで、後輪に商品等を引っ掛かりや巻き込みを抑制し、使用者の転倒等を抑制することができる。
【００５２】
さらに、後輪１３の幅がカゴ置き台１９の幅より狭く形成されているので、使用者は、前方の買い物カゴ２５が通れるように歩行すれば、後輪１３の幅を考慮することなく歩行することができ、商品等に引っ掛かることを抑制することができるので、より安全にショッピングセンター等を歩行することができる。なお、カゴ置き台１９は、前方に配置され、幅の認識が容易に行えるので、使用者は、通路の走行を容易に行うことができる。
【００５３】
次に、使用者が支払いを行う際、従来では、鞄や財布を買い物カゴ内に入れていたり、ショッピングカート１０に設けられているフック等に引っ掛けておいたりするため、財布等を取出したり、お金を取出す際に、前腕支持台２２から肘等を離して行う必要があり、バランスを崩し転倒したり、お金等の小物を落下させてしまうおそれがある。しかし、実施形態１のショッピングカート１０では、前腕支持台２２の下方に手元カゴ２４が設けられており、この手元カゴ２４の上方の開口部２４ａが把持部２３と前腕支持台２２の間から垣間見えるようになっている。そのため、手元カゴ２４内に鞄や財布等を置いておくことで、使用者は前腕支持台２２に肘等を置いてもたれかかったまま支払い等の手元の作業が行えるので、無理な体勢をとる必要がなく転倒等を抑制することができる。
【００５４】
以上のように、実施形態１のショッピングカートを用いることで、高齢者等がショッピングセンター等で買い物をしながら歩行訓練のリハビリを安全に行うことができ、また、買い物を快適に行うことができるようになる。
【００５５】
なお、実施形態１のショッピングカート１０では、カバー体１４は後輪１３の大部分を覆うように形成されている場合を説明したが、これに限らず、カバー体は、後輪１３の進行方向側の一部が覆われるように形成されていれば、後輪１３への商品等の巻き込み等を抑制することができる。そのため、図３Ａに示すカバー体１４'のように、後輪１３の進行方向側の一部を覆うように形成してもよいし、また、図３Ｂに示すカバー体１４"のように、後輪１３の進行方向側の一部を覆い、後輪の上方部が覆われないように形成してもよい。このようにすることで、使用態様に合わせたカバー体を設けることができ、設計の幅を広げることができると共に、カバー体の面積を小さくすることで、製造コストを抑えることができる。
【００５６】
また、足腰が不自由な使用者は腰掛けた状態から立ち上がることが困難な場合が多い。そのため、図３Ｃに示すように、実施形態１のショッピングカート１０'のハンドル部２０'のハンドルフレーム２１の端部に、使用者が掴まることができる形状を有した起立グリップ２６を設けることができる。この起立グリップ２６は、ハンドルフレーム２１の端部を下方に向かって円形状に延設して、この起立グリップ２６の端部が上方に向かうように形成されたものである。この起立グリップ２６を設けることで、腰掛けている使用者が立ち上がるとき、この起立グリップを握ることで立ち上がりやすくなる。また、起立グリップ２６は、ハンドルフレーム２１の端部から少なくとも半円形状を越えて延設されて形成されているので、使用者が起立グリップ２６を握った際、手が滑って起立グリップ２６から手が離れ、転倒するおそれを抑制することができる。さらに、起立グリップ２６は、後輪１３の上方から前輪１２側に向かう位置に形成されるので、使用者が起立グリップ２６に体重をかけたとしても後輪１３に支えられるので、ショッピングカート及び使用者の転倒を抑制することができるようになる。
【００５７】
また、実施形態１のショッピングカート１０自体の収納を効率的にするために台車１１の形状を変形しスタッキング機能を持たせることもできる。すなわち、図４Ａに示すように、ショッピングカート１０"の台車１１"の前輪１２の幅を後輪１３の幅より狭く形成することで、ショッピングカート１０"の後輪側から他のショッピングカート１０"を前輪側から入れることで、複数台のショッピングカート１０"を重ねて収納できるので、収納の効率化を図ることができるようになる（図４Ｂ参照）。
【００５８】
［実施形態２］
実施形態１のショッピングカート１０では、巻き込み抑制機構として台車の側面にカバー体１４を設けた場合を説明したが、実施形態２のショッピングカート１０Ａでは、巻き込み抑制機構として台車１１Ａを形成するフレーム部材１１ａを巻き込み抑制機構としたものを説明する。なお、実施形態２のショッピングカート１０Ａにおいて、実施形態１のショッピングカート１０と共通する構成には同一の符号を付し、詳細な説明は省略する。
【００５９】
図５Ａに示すように、実施形態２のショッピングカート１０Ａでは、一対の後輪１３の外側の側面の支軸１３ａと支柱１５との間にフレーム部材１１ａが設けられている。このフレーム部材は、後輪１３の支軸１３ａから２本のフレーム部材１１ａが所定の角度で支柱１５に向かって延設されている。このとき、フレーム部材１１ａが後輪１３の外側の側面の支軸１３ａから延設されており、さらにフレーム部材１１ａは前輪１２側にある支柱１５と連接されているので、フレーム部材１１ａは後輪１３の外側の側面であって進行方向側の一部の後輪１３が覆われることとなる。そのため、実施形態２のショッピングカート１０Ａは、フレーム部材１１ａにより後輪１３の進行方向の外側の側面の一部が覆われることで、後輪１３に商品や棚等が引っ掛かったり巻き込んだりすることを抑制することができると共に、巻き込み抑制機構を、構造が簡単であり、しかも、容易に製造することができるようになる。なお、フレーム部材は、図５Ｂの台車１１Ａ'に示すような、Ｕ字状に形成したフレーム部材１１ｂとすることもでき、また、本数も２本に限らず、一本でも、また、２本以上で形成してもよく、さらに、フレーム部材の太さも任意のものとすることができる。
【００６０】
また、実施形態２のショッピングカート１０Ａも、実施形態１のショッピングカート１０と同様に、台車の前輪の幅を後輪の幅よりも狭く形成することでスタッキング機能を持たせることもできる。
【００６１】
［実施形態３］
実施形態１のショッピングカート１０では、ハンドルフレーム２２は後輪１３側に水平に延設した場合を説明したが、実施形態３のショッピングカート１０Ｂでは、異なるハンドルフレームが異なる形状を有するものについて説明する。なお、実施形態３のショッピングカート１０Ｂにおいて、実施形態１のショッピングカート１０と共通する構成には同一の符号を付し、詳細な説明は省略する。
【００６２】
図６Ａ及び図６Ｂに示すように、実施形態３のショッピングカート１０Ｂのハンドル部２０Ｂのハンドルフレーム２１Ｂの構造は、支柱１５の上端部から後輪１５側へ略水平に屈曲して第１ハンドルフレーム２１ａが形成され、この第１ハンドルフレーム２１ａの端部から上方へＵ字状に屈曲した起立グリップ２６Ｂが形成され、この起立グリップ２６ＢのＵ字状の端部から前輪１２側に略水平に延設した第２ハンドルフレーム２１ｂが形成されている。そして、この第２ハンドルフレーム２１ｂの端部に把持部２３Ｂが形成されるようになっている。このとき、起立グリップ２６Ｂは、後輪１３が設けられた上方から前輪１２側に向かう側の位置に形成されている。
【００６３】
このようにすることで、実施形態３のショッピングカート１０Ｂは、ハンドルフレーム２１Ｂに起立グリップ２６Ｂが設けられていることにより、腰掛けている使用者が立ち上がるとき、この起立グリップ２６Ｂを握ることで立ち上がりやすくなる。また、起立グリップ２６Ｂは、ハンドルフレーム２１Ｂの下方に位置する第１ハンドルフレーム２１ａと上方に位置する第２ハンドルフレーム２１ｂとを連結するようにＵ字状に形成されているので、使用者が起立グリップ２６Ｂを握った際、手が滑り起立グリップから手が離れ転倒するおそれをより抑制することができる。さらに、起立グリップ２６Ｂは、後輪１３の上方から前輪１２側に向かう位置に形成されるので、使用者が起立グリップ２６Ｂに体重をかけたとしても後輪１３に支えられるので、ショッピングカート及び使用者の転倒を抑制することができるようになる。さらにまた、ハンドル部２０Ｂは、ハンドルフレーム２１Ｂ、起立グリップ２６Ｂ及び把持部２３Ｂが一体に形成されるので、製造が容易となり、製造コストを抑えることができる。また、把持部２３Ｂが図６Ａに示すような半楕円状であって、両側面に形成されているそれぞれのハンドル部が連結されていれば、両側のハンドル部を一体に形成することもできるようになる。
【００６４】
また、実施形態３のショッピングカート１０Ｂも、実施形態１のショッピングカート１０と同様に、台車の前輪の幅を後輪の幅よりも狭く形成することでスタッキング機能を持たせることもできる。
【００６５】
［実施形態４］
実施形態１のショッピングカート１０では、巻き込み抑制機構にカバー体１４を用い、ハンドルフレーム２１を後輪１３側に水平に延設した場合を説明したが、実施形態４のショッピングカート１０Ｃでは、上述した実施形態２のショッピングカート１０Ａの巻き込み抑制機構と実施形態３のショッピングカート１０Ｂのハンドルフレームを備えたショッピングカートについて説明する。すなわち、巻き込み抑制機構に台車１１Ａを形成するフレーム部材１１ａを巻き込み抑制機構とし、ハンドルフレームが異なる形状を有しものについて説明する。なお、実施形態４のショッピングカート１０Ｂにおいて、実施形態１〜３のショッピングカート１０、１０Ａ、１０Ｂと共通する構成には同一の符号を付し、詳細な説明は省略する。
【００６６】
図７Ａ及び図７Ｂに示すように、実施形態４のショッピングカート１０Ｃでは、上述した実施形態２と同様の巻き込み抑制機構が設けられている。すなわち、一対の後輪１３の外側の側面の支軸１３ａと支柱１５との間にフレーム部材１１ａが設けられている。このフレーム部材は、後輪１３の支軸１３ａから２本のフレーム部材１１ａが所定の角度で支柱１５に向かって延設されている。このとき、フレーム部材１１ａが後輪１３の外側の側面の支軸１３ａから延設されており、さらにフレーム部材１１ａは前輪１２側にある支柱１５と連接されているので、フレーム部材１１ａは後輪１３の外側の側面であって進行方向側の一部の後輪１３が覆われることとなる。
【００６７】
また、実施形態４のショッピングカート１０Ｃのハンドルフレーム２１Ｂの構造は、上述した実施形態３と同様の構造を有している。すなわち、支柱１５の上端部から後輪１３側へ略水平に屈曲して第１ハンドルフレーム２１ａが形成され、この第１ハンドルフレーム２１ａの端部から上方へＵ字状に屈曲した起立グリップ２６Ｂが形成され、この起立グリップ２６ＢのＵ字状の端部から前輪１２側に略水平に延設した第２ハンドルフレーム２１ｂが形成されている。そして、この第２ハンドルフレーム２１ｂの端部に把持部２３Ｂが形成されるようになっている。このとき、起立グリップ２６Ｂは、後輪１３が設けられた上方から前輪１２側に向かう側の位置に形成されている。
【００６８】
このような構成とすることにより、実施形態４のショッピングカート１０Ｃは、上記実施形態２及び実施形態３の効果を有することができるようになる。
【００６９】
また、実施形態４のショッピングカート１０Ｃも、実施形態１のショッピングカート１０と同様に、台車１０Ａ"の前輪１２の幅を後輪１３の幅よりも狭く形成することでスタッキング機能を持たせることもできる（図８参照）。
【００７０】
［実施形態５］
実施形態１のショッピングカート１０では、前腕支持台２２を略直方体とした場合を説明したが、実施形態５のショッピングカート１０Ｄでは、前腕支持台を異なる形状にした場合について説明する。なお、実施形態５のショッピングカート１０Ｄは、前腕支持台以外の部分は実施形態１のショッピングカート１０と同じ構成であるので、実施形態１のショッピングカート１０と共通する構成には同一の符号を参照し、詳細な説明は省略する。
【００７１】
図９Ａ及び図９Ｂに示すように、実施形態５のショッピングカート１０Ｄの前腕支持台２２Ｄは、手元カゴ２４が覆われている部分の一部に半楕円状の切り欠き部２２ｂが設けられている。このように、手元カゴ２４の開口部２４ａが垣間見えるように切り欠き部２２ｂが設けられていることで、使用者は、手元カゴ２４内に収容した鞄や財布等の取り扱いが容易になる。また、半楕円状に切り欠かれていることで、前腕支持台２２の肘等を載せる部分の面積も広く残すことができるので、使用者が歩行時にもたれかかることも十分に可能となり、また、支払い時に肘等を置く面積も十分に得ることができる。
【００７２】
なお、切り欠き部２２ｂの形状は、半楕円状に限らず、矩形状や半円状等の任意の形状にすることができ、また、手元カゴの開口部のすべてが現れるように形成してもよく、ショッピングカートの使用態様にあわせて設計することができる。
【００７３】
また、前腕支持台の形状は、実施形態１のショッピングカート１０に限られず、上述した実施形態２〜４のショッピングカート１０Ａ〜１０Ｃの前腕支持台の形状も同様に変更することができる。
【００７４】
［実施形態６］
実施形態１のショッピングカート１０では、支柱１５は一本の柱状体で形成された場合を説明したが、実施形態６のショッピングカート１０Ｅでは、支柱１５Ｅを分割して形成した場合を説明する。なお、実施形態６のショッピングカート１０Ｅは、実施形態１のショッピングカート１０に比べて、支柱の構成以外は同じなので、共通する構成には同一の符号を付し、詳細な説明は省略する。
【００７５】
実施形態６のショッピングカート１０Ｅは、図１０Ａ〜図１０Ｃに示すように、支柱１５Ｅが略中央部分で台車１１に直接固定される下部１７と、カゴ置き台１９等が設けられる上部１６とに分割されている。下部１７の支柱は台車１１に固定され、その側面に複数個の貫通孔１７ａが等間隔に形成されている。また、上部１６の支柱には、上方にハンドル部２０が設けられ、下方にはカゴ置き台１９が取り付けられている。そして、その側面には、結合孔１６ａが形成されており、下部１７の支柱に形成されたいずれかの貫通孔１７ａと上部１６の支柱に結合孔１６ａとをあわせ、ボルト等の結合部材１８を差し込むことで、固定することができるような構造となっている。そして、貫通孔１７ａと結合孔１６ａの位置を変更することで高さを調節することができる。このとき、図１０Ａに示すショッピングカート１０Ｅが一番高い状態であり、図１０Ｂ、図１０Ｃの順に高さを低くした状態を示している。
【００７６】
このような構成とすることで、実施形態６のショッピングカート１０Ｅでは、支柱１５Ｅが上部１６と下部１７に分割され、上部１６の支柱に設けられたハンドル部２０及びカゴ置き台１９の高さを調節することができるので、使用者の体格に応じてショッピングカートの高さを調節することができる。そのため、異なる高さのショッピングカートを製造する必要がないので、製造コストを抑えることができる。
【００７７】
なお、実施形態６のショッピングカート１０Ｅでは、上部１６の支柱に形成された結合孔１６ａと下部１７の支柱に形成された貫通孔１７ａとを合致させ、例えば、ボルト等の結合部材１８を挿入させることで、高さの調節を行っているが、これに限らず、空気圧や油圧等のシリンダーを上部または下部の支柱に設けてもよい。このようにすることで、使用者や使用者に付き添う者が高さ調節を容易に行うことができるようになる。
【００７８】
なお、実施形態６に示した高さを調節する機構を設けることは、実施形態１のショッピングカート１０に限られず、上述した実施形態２〜４のショッピングカート１０Ａ〜１０Ｃの支柱を実施形態６の支柱のように変更することで、高さの調節を行うことができる。なお、図１１は実施形態４のショッピングカート１０Ｃの支柱１５に実施形態６のショッピングカート１０の支柱１５Ｅと同様の支柱１５Ｃ"を設け、高さの調節ができるようにしたショッピングカート１０Ｃ"を示したものである
【００７９】
［変形例］
実施形態１のショッピングカート１０は、カゴ置き台１９がトレイ状に形成された台を設けた場合を示しているが、変形例のショッピングカート１０Ｆのカゴ置き台１９Ｆは、図１２Ａ及び図１２Ｂに示すように、カゴ置き台１９Ｆを、細長い板状の材料を用いて買い物カゴ２５の任意の場所を支えるような構造としてもよい。このようにすることで、ショッピングカートの軽量化を図ることができ、また、製造コストを抑えることができる。
【００８０】
なお、カゴ置き台の形状は、実施形態１のショッピングカート１０に限られず、上述した実施形態２〜６のショッピングカート１０Ａ〜１０Ｅのカゴ置き台の形状も同様に変更することができる。
【符号の説明】
【００８１】
１０，１０'，１０''，１０Ａ〜１０Ｆ…ショッピングカート
１１，１１Ａ，１１Ａ'…台車
１１ａ，１１ｂ…フレーム部材
１２，１２Ｃ…前輪
１２ａ…固定軸
１３…後輪
１３ａ…支軸
１４，１４'，１４"…カバー体
１４ａ…切除部
１５，１５Ｅ…支柱
１６…上部
１６ａ…結合孔
１７…下部
１７ａ…貫通孔
１８…結合部材
１９，１９Ｆ…カゴ置き台
１９ａ…外周壁
２０，２０Ｂ…ハンドル部
２１，２１Ｂ…ハンドルフレーム
２１ａ…第１ハンドルフレーム
２１ｂ…第２ハンドルフレーム
２２，２２Ｄ…前腕支持台
２２ａ…壁
２２ｂ…切り欠き部
２３…把持部
２４…手元カゴ
２４ａ…開口部
２５…買い物カゴ
２６，２６Ｂ…起立グリップ
【図１】
0005843553.tif 000002
【図２】
0005843553.tif 000003
【図３】
0005843553.tif 000004
【図４】
0005843553.tif 000005
【図５】
0005843553.tif 000006
【図６】
0005843553.tif 000007
【図７】
0005843553.tif 000008
【図８】
0005843553.tif 000009
【図９】
0005843553.tif 000010
【図１０】
0005843553.tif 000011
【図１１】
0005843553.tif 000012
【図１２】
0005843553.tif 000013